(57)【要約】【課題】陳列棚の上下各段に配置されている棚板あるいはフックバーに装着して表示するカードホルダを見やすい姿勢に配置する。【解決手段】カードホルダ１０は、本体部１１と、本体部の表面側に配置する透明板１７と、本体部１１の裏面上部から下部に向かって、順に配置される第１の突起部１２、第２の突起部１３、第３の突起部１４、第４の突起部１５とを有し、第１の突起部１２と本体部１１との間に第１の係止部１２ａを形成し、第２の突起部１３と第１の突起部１２との間で第２の係止部１３ａを形成し、第３の突起部１４と第４の突起部１５との間で第３の係止部１４ａを形成し、第４の突起部１５と透明板１７の下部突出部１７ａとの間で第４の係止部１５ａを形成している。保持具２０は第１の係止爪２６と第２の係止部２７とを有し、カードホルダ１０のそれぞれの係止部に係止可能に形成する。【選択図】図１
2005204824.tif 000002
【特許請求の範囲】
【請求項１】
陳列棚板用レール部あるいは、フックバー用保持具に係止可能に形成されてポップカードを収容可能なカードホルダであって、
長尺板状の本体部と前記本体部の表面側に配置して前記本体部との間で前記ポップカードを把持可能に形成される透明板と、
前記本体部の裏面側に配置して、前記本体部の上部から突出する突起部を有して形成される第１の係止部と、前記第１の係止部の下方に配置して前記本体部から上傾するように延設される突起部を有して形成される第２の係止部と、前記本体部の裏面に配置して、前記本体部の下部から下傾する突起部を有して形成される第３の係止部と、前記本体部の下面と前記透明板の下部との間で溝状に形成される第４の係止部と、を備え、
前記第２の係止部を形成する突起部と前記第３の係止部を形成する突起部とが可撓性を有して形成されることを特徴とするカードホルダ。
【請求項２】
ポップカードを収容可能なカードホルダを、フックバー用保持具に係止可能に形成されるカードホルダの保持具取付け構造であって、
前記カードホルダが、
長尺板状の本体部と前記本体部の表面側に配置して前記本体部との間で前記ポップカードを把持可能に形成される透明板と、
前記本体部の裏面側に配置して、前記本体部の上部から突出する突起部を有して形成される第１の係止部と、前記第１の係止部の下方に配置して前記本体部から上傾するように延設される突起部を有して形成される第２の係止部と、前記本体部の裏面に配置して、前記本体部の下部から下傾する突起部を有して形成される第３の係止部と、前記本体部の下面と前記透明板の下部との間で溝状に形成される第４の係止部と、を備え、
前記第２の係止部を形成する突起部と前記第３の係止部を形成する突起部とが可撓性を有して形成され、
前記保持具には、前記カードホルダを保持するための上下一対の係止爪部と、前記フックバーに装着する装着孔と、が形成され、
前記装着孔は、前記フックバーに対して前記保持具を上向きあるいは下向きにした状態で前記フックバーに装着可能とされ、
前記保持具が上向き状態で、前記保持具の第１の係止爪部が前記カードホルダの第１の係止部又は第２の係止部に係止され、前記保持具の第２の係止爪部が前記カードホルダの第３の係止部又は第４の係止部に係止されて前記カードホルダの２段階の選択位置を有し、
前記保持具が下向きの状態で、前記保持具の第１の係止爪部が前記カードホルダの第３の係止部又は第４の係止部に係止され、前記保持具の第２の係止爪部が前記カードホルダの第１の係止部又は第２の係止部に係止されることによって、前記カードホルダが２段階の位置に選択的に配置されることを特徴とするカードホルダの保持具取付け構造。
【請求項３】
ポップカードを収容可能なカードホルダを、陳列棚用レール部に係止可能に形成されるカードホルダのレール部取付け構造であって、
前記カードホルダが、
長尺板状の本体部と前記本体部の表面側に配置して前記本体部との間で前記ポップカードを把持可能に形成される透明板と、
前記本体部の裏面側に配置して、前記本体部の上部から突出する突起部を有して形成される第１の係止部と、前記第１の係止部の下方に配置して前記本体部から上傾するように延設される突起部を有して形成される第２の係止部と、前記本体部の裏面に配置して、前記本体部の下部から下傾する突起部を有して形成される第３の係止部と、前記本体部の下面と前記透明板の下部との間で溝状に形成される第４の係止部と、を備え、
前記第２の係止部を形成する突起部と前記第３の係止部を形成する突起部とが可撓性を有して形成され
前記レール部には、前記カードホルダの第１の係止部又は第２の係止部を係止する第１の係止爪部と、前記カードホルダの第３の係止部又は第４の係止部を係止する第２の係止爪部と、が形成され、
前記カードホルダの係止部が前記レール部のいずれかの係止爪部に係止することによって、前記カードホルダが２段階の位置に選択的に配置されることを特徴とするカードホルダのレール部取付け構造。
【発明の詳細な説明】
【技術分野】
【０００１】
本発明はドラッグストア、スーパーマーケット等において、商品陳列棚又はフックバーに並べられた商品の特徴、用途、用法、効能等の商品情報を記入するポップカードを保持するカードホルダ及びその取付け構造に関する。
【背景技術】
【０００２】
一般に、ドラッグストアやスーパーマーケット等の商品陳列棚又はフックバーには、商品情報を提供するために、ポップカードを商品の付近に配置していることが多い。ポップカードは、商品の特徴、用途、用法、効能等の商品情報が記載されていて、通常、ポップカードホルダに収容されて陳列棚板の前縁部のレール部又はフックバー用保持具に係止されている。
【０００３】
従来のカードホルダの陳列棚への取付け構造は、例えば、特許文献１に開示されている。これによると、図８に示すように、カードホルダ３０は、棚板６先端に配置されたカードレール部７に係止可能に形成されている。このカードホルダ３０は、長尺板状の本体部３１と本体部３１の裏面上部から突出する第１の突起部３２と弾性状に形成される第２の突起部３３とを有して形成され、第１の突起部３２と本体部３１との間で形成される第１の係止部３４が形成され、第２の突起部３３と本体部３１との間で第２の係止部３５が形成されている。
【０００４】
そして、カードホルダ３０の第１の係止部３４がカードレール部７の第１の係止爪部８に係合し、第２の係止部３５が第２の係止爪部９に係合することによって、カードホルダ１０が棚板６に装着されることとなる。
【特許文献１】登録実用新案第３０３３４０２号公報（６〜８頁、図２参照）
【発明の開示】
【発明が解決しようとする課題】
【０００５】
しかし、一般的に陳列棚板は複数段に構成され、それぞれの棚板の前端面には、ポップカードを収容したカードホルダが装着されている。棚板に装着されたポップカードは、それぞれの高さ位置に合わせて見やすくなるように傾斜して配置されることが望ましい。例えば、下段側の棚板に装着されているポップカードは上向きに、また人の高さより上段の位置に配置されているポップカードは下向きに、さらに目の高さと略同一にあるポップカードは略垂直方向に配置されていれば、ポップカードを見る人は、屈んだり又背伸び等をしたりする必要のないことから、容易な姿勢でポップカードを認識することができ、サービスを向上することができる。
【０００６】
しかし、従来のカードホルダは、第１の係止部３４と第２の係止部３５とがそれぞれ棚板６のカードレール部７の第１の係止爪部８・第２の係止爪部９に係合するように形成されていることから、陳列棚の、どこの棚板６でも、棚板６に対して同じ傾斜角度で配置されることとなり、下段の棚板６に装着されるカードホルダ１０は、屈まなければ見にくく、又上段の棚板６に対しては、背伸びしなければ見にくくなるということで、気楽な姿勢でポップカードを認識することができなかった。
【課題を解決するための手段】
【０００７】
本発明は、上述の課題を解決するものであり、ポップカードに記載された内容を即座に読み取ることができるように、その高さ位置に合わせて傾斜できるように構成するものである。すなわち、
請求項１記載の発明では、陳列棚板用レール部あるいは、フックバー用保持具に係止可能に形成されてポップカードを収容可能なカードホルダであって、
長尺板状の本体部と前記本体部の表面側に配置して前記本体部との間で前記ポップカードを把持可能に形成される透明板と、
前記本体部の裏面側に配置して、前記本体部の上部から突出する突起部を有して形成される第１の係止部と、前記第１の係止部の下方に配置して前記本体部から上傾するように延設される突起部を有して形成される第２の係止部と、前記本体部の裏面に配置して、前記本体部の下部から下傾する突起部を有して形成される第３の係止部と、前記本体部の下面と前記透明板の下部との間で溝状に形成される第４の係止部と、を備え、
前記第２の係止部を形成する突起部と前記第３の係止部を形成する突起部とが可撓性を有して形成されることとを特徴とするものである。
【０００８】
請求項２記載の発明では、ポップカードを収容可能なカードホルダを、フックバー用保持具に係止可能に形成されるカードホルダの保持具取付け構造であって、
前記カードホルダが、
長尺板状の本体部と前記本体部の表面側に配置して前記本体部との間で前記ポップカードを把持可能に形成される透明板と、
前記本体部の裏面側に配置して、前記本体部の上部から突出する突起部を有して形成される第１の係止部と、前記第１の係止部の下方に配置して前記本体部から上傾するように延設される突起部を有して形成される第２の係止部と、前記本体部の裏面に配置して、前記本体部の下部から下傾する突起部を有して形成される第３の係止部と、前記本体部の下面と前記透明板の下部との間で溝状に形成される第４の係止部と、を備え、
前記第２の係止部を形成する突起部と前記第３の係止部を形成する突起部とが可撓性を有して形成され、
前記保持具には、前記カードホルダを保持するための上下一対の係止爪部と、前記フックバーに装着する装着孔と、が形成され、
前記装着孔は、前記フックバーに対して前記保持具を上向きあるいは下向きにした状態で前記フックバーに装着可能とされ、
前記保持具が上向き状態で、前記保持具の第１の係止爪部が前記カードホルダの第１の係止部又は第２の係止部に係止され、前記保持具の第２の係止爪部が前記カードホルダの第３の係止部又は第４の係止部に係止されて前記カードホルダの２段階の選択位置を有し、
前記保持具が下向きの状態で、前記保持具の第１の係止爪部が前記カードホルダの第３の係止部又は第４の係止部に係止され、前記保持具の第２の係止爪部が前記カードホルダの第１の係止部又は第２の係止部に係止されることによって、前記カードホルダが２段階の位置に選択的に配置されることを特徴とするものである。
【０００９】
請求項３記載の発明では、ポップカードを収容可能なカードホルダを、陳列棚用レール部に係止可能に形成されるカードホルダのレール部取付け構造であって、
前記カードホルダが、
長尺板状の本体部と前記本体部の表面側に配置して前記本体部との間で前記ポップカードを把持可能に形成される透明板と、
前記本体部の裏面側に配置して、前記本体部の上部から突出する突起部を有して形成される第１の係止部と、前記第１の係止部の下方に配置して前記本体部から上傾するように延設される突起部を有して形成される第２の係止部と、前記本体部の裏面に配置して、前記本体部の下部から下傾する突起部を有して形成される第３の係止部と、前記本体部の下面と前記透明板の下部との間で溝状に形成される第４の係止部と、を備え、
前記第２の係止部を形成する突起部と前記第３の係止部を形成する突起部とが可撓性を有して形成され
前記レール部には、前記カードホルダの第１の係止部又は第２の係止部を係止する第１の係止爪部と、前記カードホルダの第３の係止部又は第４の係止部を係止する第２の係止爪部と、が形成され、
前記カードホルダの係止部が前記レール部のいずれかの係止爪部に係止することによって、前記カードホルダが２段階の位置に選択的に配置されることを特徴とするものである。
【発明の効果】
【００１０】
請求項１記載の発明によれば、カードホルダを陳列棚における棚板のレール部、あるいはフックバー用保持具に装着する際、カードホルダの第１の係止部をレール部又は保持具の第１の係止爪部に係止し、カードホルダの第３の係止部を形成する突起部を弾性変形させて、カードホルダの第３の係止部をレール部又は保持具の第２の係止爪部に係止させることによって、カードホルダの本体部を上向きに傾斜させることができ、この場合、陳列棚の下段の棚板のレール部又は下方に配置されたフックバーの保持具に装着する。
【００１１】
又、カードホルダの第４の係止部をレール部又は保持具の第２の係止爪部に係止し、カードホルダの第２の係止部を形成する突起部を弾性変形させて、カードホルダの第２の係止部をレール部又は保持具の第１の係止爪部に係止させることによって、カードホルダの本体部を垂直方向に配置させることができ、この場合、陳列棚における目の高さに配置された棚板のレール部、あるいはフックバーの保持具に装着する。
【００１２】
このように、カードホルダに２対の係止部を形成することによって、カードホルダを陳列棚のレール部あるいはフックバーの保持具に対して２段階の姿勢を形成することができ、陳列棚の棚板またはフックバーが上段又は下段に配置されていても、カードホルダを傾斜させて、ポップカードに記載された内容を容易な姿勢で認識しやすいようにすることができる。そのため、お客に対するサービスを向上させることができる。
【００１３】
また、請求項２記載の発明によれば、カードホルダを吊り下げフック用保持具に装着する際、まず、保持具の装着孔を、保持具の第１の係止部を上方にして第２の係止部を下方に向けた状態で吊り下げフックに装着する。この状態で、カードホルダの第１の係止部を保持具の第１の係止部に係止し、カードホルダの第３の係止部を形成する突起部を弾性変形させて、カードホルダの第３の係止部を保持具の第２の係止部に係止させることによって、カードホルダの本体部を上向きに傾斜させることができ、この場合、下方に配置された吊り下げフックの保持具に装着する。
【００１４】
又、カードホルダの第４の係止部に保持具の第２の係止爪部を係止し、カードホルダの第２の係止部を形成する突起部を弾性変形させて、カードホルダの第２の係止部を保持具の第１の係止爪部に係止させることによって、カードホルダの本体部を垂直方向に配置させることができ、この場合、陳列棚における目の高さに配置されたフックバーの保持具に装着する。
【００１５】
さらに保持具を、保持具の第１の係止爪部を下方にし、保持具の第２の係止爪部を上方にした状態でフックバーに装着する。この状態でカードホルダの第１の係止部を保持具の第１の係止爪部に係止し、カードホルダの第３の係止部を形成する突起部を弾性変形させて、カードホルダの第３の係止部を保持具の第２の係止爪部に係止させることによって、カードホルダの本体部を傾斜角度の小さい第１の下向き位置に傾斜させることができ、この場合、目の高さより上方に配置されたフックバーの保持具に装着する。
【００１６】
又、カードホルダの第４の係止部に保持具の第２の係止爪部を係止し、カードホルダの第２の係止部を形成する突起部を弾性変形させて、カードホルダの第２の係止部を保持具の第１の係止爪部に係止させることによって、カードホルダの本体部を傾斜角度の大きい第２の下向き位置に配置させることができ、この場合、最上段に配置されたフックバーの保持具に装着する。
【００１７】
このように、カードホルダに２対の係止部を形成することによって、カードホルダを吊り下げフックの保持具に対して２段階の姿勢を形成することができ、さらに保持具を上下反転することによってカードホルダを４段階の姿勢にすることができる。これによって、カードホルダを傾斜させて、ポップカードに記載された内容を容易な姿勢で認識しやすいようにすることができる。そのため、お客に対するサービスを向上させることができる。
【００１８】
さらに、請求項３記載の発明によれば、カードホルダを陳列棚における棚板のレール部に装着する際、カードホルダの第１の係止部をレール部の第１の係止爪部に係止し、カードホルダの第３の係止部を形成する突起部を弾性変形させて、カードホルダの第３の係止部をレール部の第２の係止爪部に係止させることによって、カードホルダの本体部を上向きに傾斜させることができ、この場合、カードホルダを陳列棚の下段の棚板のレール部に装着する。
【００１９】
又、カードホルダの第４の係止部にレール部の第２の係止爪部に係止し、カードホルダの第２の係止部を形成する突起部を弾性変形させて、カードホルダの第２の係止部をレール部の第１の係止爪部に係止させることによって、カードホルダの本体部を垂直方向に配置させることができ、この場合、カードホルダを陳列棚における目の高さに配置された棚板のレール部の保持具に装着する。
【００２０】
このように、カードホルダに２対の係止部を形成することによって、カードホルダを陳列棚のレール部に対して２段階の姿勢を形成することができ、陳列棚の棚板が上段または下段にあっても、カードホルダを傾斜させて、ポップカードに記載された内容を容易な姿勢で認識しやすいようにすることができる。そのため、お客に対するサービスを向上させることができる。
【発明を実施するための最良の形態】
【００２１】
次に、本発明の一実施形態を図面に基づいて説明する。実施形態のカードホルダは、例えば、陳列棚の各段の棚板前端部に配置されたスライドレール部か、又はフックバーの前端部に装着する保持具に装着される。
【実施例１】
【００２２】
図１は、フックバー１（図２参照）の上フック２（図２参照）の前端部に装着する保持具２０と、保持具２０に係止可能なカードホルダ１０を示すものであり、図２〜５は、カードホルダ１０をフックバー１の保持具２０に装着した状態を示すものであり、それぞれカードホルダ１０の各種の姿勢を示すものである。
【００２３】
フックバー１は、図２に示すように、ポップカードを装着する上フック２と、商品を吊り下げる下フック３と、図示しない陳列用什器に取り付ける取付部４を備えて構成され、上フック２の先端部が水平方向から垂直方向に屈曲して、挿入ピン部２ａを形成している。
【００２４】
カードホルダ１０は、特定の商品情報を表示するポップカードを収容可能に形成するものであり、ポップカードには、その商品の特徴、用途、用法、効能等が記載されている。
【００２５】
カードホルダ１０は、樹脂製の材料で長尺板状に形成された本体部１１と、本体部１１の表面下部で本体部１１と一体的に接続され上部を開閉可能に配置して図示しないポップカードを挟持可能にする透明板１７と、本体部１１の裏面上部に一体的に配置され、裏面側に突出する略Ｌ字状の第１の突起部１２と、第１の突起部１２の下方に位置して、本体部１１の略中央部から裏面側に上傾する第２の突起部１３と、本体部１１の裏面下部において、本体部１１の裏面側から下傾して配置される第３の突起部１４と、本体部１１の下端部から裏面側に屈曲する第４の突起部１５と、を有して形成されている。
【００２６】
第１の突起部１２と本体部１１との間に配置される溝部が第１の係止部１２ａとして形成され、第２の突起部１３の先端部と第１の突起部１２の裏面部との間に形成される空間部が第２の係止部１３ａとして形成され、第３の突起部１４と第４の突起部１５との間に形成される溝部が第３の係止部１４ａとして形成され、第４の突起部１５と透明板１７の下部から突出する突出部１７ａとの間に形成される溝部が第４の係止部１５ａとして形成される。
【００２７】
第２の突起部１３と第３の突起部１４は、本体部１１、第１の突起部１２、第４の突起部１５より薄く形成されて本体部１１に連接する元部に対して可撓性を有して弾性状に形成される。
【００２８】
透明板１７は上部１７ｂが、常時、本体部１１の表面に付勢するように弾性状に形成され、本体部１１の表面と透明板１７との間には、ポップカードを挿入する空間部１８を形成している。
【００２９】
一方、保持具２０は、樹脂製の材料で形成され、フックバー１の上フック２の挿入ピン部２ａに装着する装着部２１と、装着部２１と連接してカードホルダ１０に係止する係止部２５と、を備えて構成されている。
【００３０】
装着部２１には上部と下部とに水平方向に形成された溝部２２・２３と、上部溝部２２と下部溝部２３を連接して縦方向に形成された挿入孔２４とを有している。係止部２５は、内部にあり溝２８を形成するように側面視略Ｃ字状に形成されるとともに、上端部が第１の係止爪部２６として形成され、下端部が第２の係止爪部２７として形成されている。
【００３１】
なお、図２においては、保持具２０の第１の係止爪部２６はカードホルダ１０の第１の係止部１２ａに係止し、保持具２０の第２の係止爪部２７は、カードホルダ１０の第３の係止部１４ａに係止している。この場合、カードホルダ１０を保持具２０に装着する際、保持具２０の第１の係止爪部２６をカードホルダ１０の第１の係止部１２ａに係止した後、カードホルダ１０の第３の突起部１４を撓ませながら保持具２０の第２の係止爪部２７をカードホルダ１０の第３の係止部１４ａに係止するように挿入する。
【００３２】
図２におけるカードホルダ１０は、保持具２０に対して上向きとなるような姿勢となる。つまり、保持具２０をフックバー１における上フック２の挿入ピン部２ａに、第１の係止爪部２６を上方にするように装着することによって、カードホルダ１０は上向きとなることから、図２の状態では、カードホルダ１０を目の高さより下方に配置されたフックバー１に装着することが好ましい。
【００３３】
図３は、図２と同様に、保持具２０の第１の係止爪部２６を上方にして第２の係止爪部２７を下方にしてフックバー１の挿入ピン部２ａに装着する。そして、保持具２０の第１の係止爪部２６をカードホルダ１０の第２の係止部１３ａに係止し、保持具２０の第２の係止爪部２７をカードホルダ１０の第４の係止部１５ａに係止した状態であり、この状態では、カードホルダ１０は保持具２０に対して垂直方向の姿勢を形成している。
【００３４】
この状態にカードホルダ１０を装着する場合には、まず、保持具２０の第２の係止爪部２７をカードホルダ１０の第４の係止部１５ａに係止した後、カードホルダ１０の第２の突起部１３を撓ませながら、保持具２０の第１の係止爪部２６をカードホルダ１０の第２の係止部１３ａに係止する。
【００３５】
従って図３の状態では、カードホルダ１０は垂直の姿勢を形成することから、目の高さ位置にあるフックバー１に、カードホルダ１０を装着することが好ましい。
【００３６】
図４は、図２、図３と逆に、保持具２０の第２の係止爪部２７を上方にし、第１の係止爪部２６を下方にしてフックバー１の挿入ピン部２ａに装着する。そして、保持具２０の第２の係止爪部２７をカードホルダ１０の第１の係止部１２ａに係止し、保持具２０の第１の係止爪部２６をカードホルダ１０の第３の係止部１４ａに係止した状態であり、この状態では、カードホルダ１０は保持具２０に対して小さい傾斜角度の下向き方向の姿勢を形成している。
【００３７】
この状態にカードホルダ１０を装着する場合には、まず、保持具２０の第２の係止爪部２７をカードホルダ１０の第１の係止部１２ａに係止した後、カードホルダ１０の第３の突起部１４を撓ませながら、保持具２０の第１の係止爪部２６をカードホルダ１０の第３の係止部１４ａに係止する。
【００３８】
従って図４の状態では、カードホルダ１０は小さな傾斜角度の下向き姿勢を形成することから、目の高さ位置よりすぐ上の上段フックバー１に、カードホルダ１０を装着することが好ましい。
【００３９】
図５は、図４と同様に、保持具２０の第２の係止爪部２７を上方にして第１の係止爪部２６を下方にしてフックバー１の挿入ピン部２ａに装着する。そして、保持具２０の第２の係止爪部２７をカードホルダ１０の第２の係止部１３ａに係止し、保持具２０の第１の係止爪部２７をカードホルダ１０の第４の係止部１５ａに係止した状態であり、この状態では、カードホルダ１０は保持具２０に対して大きい傾斜角度の下向き方向の姿勢を形成している。
【００４０】
この状態にカードホルダ１０を装着する場合には、まず、保持具２０の第１の係止爪部２６をカードホルダ１０の第４の係止部１５ａに係止した後、カードホルダ１０の第２の突起部１３を撓ませながら、保持具２０の第２の係止爪部２７をカードホルダ１０の第２の係止部１３ａに係止する。
【００４１】
従って図５の状態では、カードホルダ１０は大きな傾斜角度の下向き姿勢を形成することから、目の高さ位置より上の上段フックバー１に、カードホルダ１０を装着することが好ましい。
【００４２】
上述のように、カードホルダ１０の本体部１１から裏面側に、２対の係止部（第１の係止部１２ａと第３の係止部１４ａ、第２の係止部１３ａと第４の係止部１５ａ）とを形成することによって、カードホルダ１０は、保持具２０に対して２段階の姿勢（上向きと垂直）をとることができ、さらに保持具２０を上下方向に入れ替えることによってさらに２段階の姿勢（小さい傾斜の下向き姿勢と大きい傾斜角度の下向き姿勢）をとることができることから、フックバー１が多段に配置されていれば、それぞれの位置に合わせたカードホルダ１０の姿勢を形成することができ、お客に対するサービスを向上することができる。
【００４３】
又、カードホルダ１０を保持具２０に装着する際、薄く形成されているカードホルダ１０の第２の突起部１３あるいは第３の突起部１４を撓ませるようにして行うことから、容易な作業で行なうことができる。
【００４４】
次に、図１に示すカードホルダ１０を陳列棚の棚板６前端部に配置するレール部７に装着する形態について説明する。
【００４５】
棚板６は、図６に示すように、前端部にカードホルダ１０を装着するレール部７を配置している。レール部７はあり溝７ａを囲むように略Ｃ字状に形成され、上部が棚板６の前端面に近い位置に配置される第１の係止爪部８を有し、下部が棚板６の前端面から離れた位置に配置される第２の係止爪部９を有している。
【００４６】
図６の場合、レール部７の第１の係止爪部８はカードホルダ１０の第１の係止部１２ａに係止され、レール部７の第２の係止爪部９がカードホルダ１０の第３の係止部１４ａに係止されている。この状態においては、カードホルダ１０をレール部７に装着する際、レール部７の第１の係止爪部８をカードホルダ１０の第１の係止部１２ａに係止した状態で、カードホルダ１０の第３の突起部１４を撓ませながら、第３の係止部１４ａにレール部７の第２の係止爪部９を係止させるように挿入することとなる。
【００４７】
これによって、カードホルダ１０は、上向きの姿勢を形成することとなるから、カードホルダ１０を陳列棚の下方に配置されている棚板６に装着することが好ましい。
【００４８】
図７の場合、レール部７の第１の係止爪部８はカードホルダ１０の第２の係止部１３ａに係止され、レール部７の第２の係止爪部９がカードホルダ１０の第４の係止部１５ａに係止されている。この状態においては、カードホルダ１０をレール部７に装着する際、レール部７の第２の係止爪部９をカードホルダ１０の第４の係止部１５ａに係止した状態で、カードホルダ１０の第２の突起部１３を撓ませながら、第２の係止部１３ａにレール部７の第１の係止爪部８を係止させるように挿入することとなる。
【００４９】
これによって、カードホルダ１０は、垂直の姿勢を形成することとなるから、カードホルダ１０を、目の高さ位置に配置された棚板６に装着することが好ましい。
【００５０】
上述のように、カードホルダ１０を棚板６のレール部７に装着する際、カードホルダ１０には２対の係止部（第１の係止部１２ａと第３の係止部１４ａ、第２の係止部１３ａと第４の係止部１５ａ）とを形成していることから、レール部７に対して２段階の姿勢をとることができ、上下方向に配置されている棚板６に合わせて、カードホルダ１０を適宜な姿勢で装着することができる。
【００５１】
又、カードホルダ１０をレール部７に装着する際、薄く形成されているカードホルダ１０の第２の突起部１３あるいは第３の突起部１４を撓ませるようにして行うことから、容易な作業で行なうことができる。
【図面の簡単な説明】
【００５２】
【図１】本発明の一実施形態に係るカードホルダと保持具を示す分解図である。
【図２】カードホルダを保持具に装着する第１の姿勢を示す図である。
【図３】カードホルダを保持具に装着する第２の姿勢を示す図である。
【図４】カードホルダを保持具に装着する第３の姿勢を示す図である。
【図５】カードホルダを保持具に装着する第４の姿勢を示す図である。
【図６】カードホルダを棚板のレール部に装着する第１の姿勢を示す図である。
【図７】カードホルダを棚板のレール部に装着する第２の姿勢を示す図である。
【図８】カードホルダを棚板のレール部に装着する従来の構造を示す図である。
【符号の説明】
【００５３】
１、フックバー
２ａ、挿入ピン部
６、棚板
７、レール部
８、第１の係止爪部
９、第２の係止爪部
１０、カードホルダ
１１、本体部
１２、第１の突起部
１２ａ、第１の係止部
１３、第２の突起部
１３ａ、第２の係止部
１４、第３の突起部
１４ａ、第３の係止部
１５、第４の突起部
１５ａ、第５の係止部
１３、上部折返し部
１４、ピン収容空間部
１５、下部折返し部
１７、透明板
２０、保持具
２１、装着部
２４、挿入ピン部
２５、係止部
２６、第１の係止爪部
２７、第２の係止爪部
【図１】
2005204824.tif 000003
【図２】
2005204824.tif 000004
【図３】
2005204824.tif 000005
【図４】
2005204824.tif 000006
【図５】
2005204824.tif 000007
【図６】
2005204824.tif 000008
【図７】
2005204824.tif 000009
【図８】
2005204824.tif 000010